(57)【特許請求の範囲】
【請求項１】
購入者端末と、情報とともに電子広告を提供する情報提供サーバと、電子クーポンサーバと、販売業者端末と、これらを相互に接続する通信ネットワークとを備えた電子広告における広告料金課金システムであって、前記購入者端末が前記通信ネットワークを介して前記情報提供サーバが提供するホームページにアクセスし、購入者により選択されたホームページ上の電子広告の選択情報を前記情報提供サーバに送信する手段と、前記情報提供サーバが前記選択情報により前記電子広告の広告識別情報および前記電子クーポンサーバへの接続情報を検索して前記購入者端末に送信する手段と、前記購入者端末が受信した情報により前記電子クーポンサーバにアクセスしパスワードの登録を行う手段と、前記パスワードを受信した前記電子クーポンサーバがクーポンＩＤを生成し、前記クーポンＩＤと前記パスワードおよび前記広告識別情報をクーポンデータベースに登録するとともに、前記クーポンＩＤを前記購入者端末に送信する手段と、購入者が前記クーポンＩＤを提示して販売業者から購入するときに、前記販売業者端末がクーポンＩＤとパスワードを前記電子クーポンサーバに送信する手段と、前記電子クーポンサーバが前記販売業者端末から受信したクーポンＩＤおよびパスワードと、前記クーポンデータベースに登録されたクーポンＩＤおよびパスワードとの照合を行い、その結果を前記販売業者端末に送信する手段と、前記照合の結果一致した場合は、前記電子クーポンサーバが前記販売業者端末から送られたクーポンＩＤにより前記クーポンデータベースを検索して該当する広告識別情報を取得し、この広告識別情報に対応した前記電子広告の広告主である前記販売業者に対し、予め定められた購入一回あたりの広告料金を課金登録する手段とを有することを特徴とする電子広告における広告料金課金システム。
【請求項２】
購入者端末と、情報とともに電子広告を提供する情報提供サーバと、電子クーポンサーバと、販売業者端末と、これらを相互に接続する通信ネットワークとを備えた電子広告における広告料金課金システムであって、前記購入者端末は、前記情報提供サーバにアクセスし、購入者により選択された電子広告の選択情報を前記情報提供サーバに送信するホームページアクセス・入力手段と、前記情報提供サーバから前記電子クーポンサーバへの接続情報および広告識別情報を受信し、前記電子クーポンサーバにアクセスして前記広告識別情報を送信する電子クーポン要求手段とを有し、前記情報提供サーバは、前記購入者端末から受信した電子広告の選択情報により広告データベースを検索し、広告識別情報および前記電子クーポンサーバへの接続情報を取得して前記購入者端末に送信する広告情報検索手段と、各電子広告対応に広告識別情報および前記電子クーポンサーバへの接続情報が予め登録されている広告データベースとを有し、前記電子クーポンサーバは、前記購入者端末から前記広告識別情報を受信して前記購入者端末にパスワードの入力を要求し、前記購入者端末からパスワードを受信してクーポンＩＤを生成し、前記クーポンＩＤ、前記パスワードおよび前記広告識別情報をクーポンデータベースに登録するとともに、前記クーポンＩＤを前記購入者端末に送信するクーポンＩＤ生成・登録手段と、購入者が販売業者から購入するときに前記販売業者端末から送信されるクーポンＩＤとパスワードとを受信し、前記クーポンデータベースに格納されたクーポンＩＤおよびパスワードと照合し、その照合結果を前記販売業者端末に送信する広告閲覧者認証手段と、前記販売業者端末から送信されたクーポンＩＤにより前記クーポンデータベースを検索して該当する広告識別情報を取得し、この広告識別情報に対応して課金データベースに登録された前記電子広告の広告主である前記販売業者に対し、予め定められた購入一回あたりの広告料金を登録する広告料金課金手段と、前記クーポンＩＤ生成・登録手段から登録されるクーポンＩＤ、パスワードおよび広告識別情報をそれぞれ対応付けて格納しているクーポンデータベースと、販売業者名、販売業者の広告料金課金情報、クーポンＩＤを含む情報を広告識別情報に対応付けて格納している課金データベースとを有し、前記販売業者端末は、前記電子クーポンサーバにアクセスし、クーポンＩＤおよびパスワードを入力，送信するホームページアクセス・入力手段と、前記電子クーポンサーバから受信した照合結果を表示する表示手段とを有することを特徴とする電子広告における広告料金課金システム。
【請求項３】
購入者端末と、情報とともに電子広告を提供する情報提供サーバと、電子クーポンサーバと、販売業者端末と、これらを相互に接続する通信ネットワークとを備えた広告料金課金システムにおける電子クーポンサーバであって、前記購入者端末が前記情報提供サーバから取得した電子広告の広告識別情報を前記購入者端末から受信して、パスワードの入力を前記購入者端末に要求し、前記購入者端末からパスワードを受信してクーポンＩＤを生成し、前記クーポンＩＤ、前記パスワードおよび前記広告識別情報をクーポンデータベースに登録するとともに、前記クーポンＩＤを前記購入者端末に送信するクーポンＩＤ生成・登録手段と、購入者が販売業者から購入するときに前記販売業者端末から送信されるクーポンＩＤとパスワードとを受信し、前記クーポンデータベースに格納されたクーポンＩＤおよびパスワードと照合し、その照合結果を前記販売業者端末に送信する広告閲覧者認証手段と、前記販売業者端末から送られたクーポンＩＤにより前記クーポンデータベースを検索して該当する広告識別情報を取得し、この広告識別情報に対応して課金データベースに登録された前記電子広告の広告主である前記販売業者に対し、予め定められた購入一回あたりの広告料金を登録する広告料金課金手段と、前記クーポンＩＤ生成・登録手段から登録されるクーポンＩＤ、パスワードおよび広告識別情報をそれぞれ対応付けて格納しているクーポンデータベースと、広告識別情報、販売業者名、販売業者の課金情報、情報提供業者名、情報提供業者の広告収益情報、クーポンＩＤ、購入日時を含む情報を前記広告識別情報に対応付けて格納している課金データベースとを有することを特徴とする電子クーポンサーバ。
【請求項４】
購入者端末と、情報とともに電子広告を提供する情報提供サーバと、電子クーポンサーバと、販売業者端末と、これらを相互に接続する通信ネットワークとを備えた広告料金課金システムにおける広告料金課金方法であって、前記購入者端末が、前記通信ネットワークを介して前記情報提供サーバが提供するホームページにアクセスし、購入者により選択されたホームページ上の電子広告の選択情報を前記情報提供サーバに送信し、前記情報提供サーバが前記選択情報により前記電子広告の広告識別情報および前記電子クーポンサーバへの接続情報を検索して前記購入者端末に送信し、前記購入者端末が受信した情報により前記電子クーポンサーバにアクセスしパスワードの登録を行い、前記パスワードを受信した前記電子クーポンサーバが、クーポンＩＤを生成し、前記クーポンＩＤと前記パスワードおよび前記広告識別情報をクーポンデータベースに登録するとともに、前記クーポンＩＤを前記購入者端末に送信し、購入者が前記クーポンＩＤを提示して販売業者から購入するときに、前記販売業者端末がクーポンＩＤとパスワードを前記電子クーポンサーバに送信し、前記電子クーポンサーバが、前記販売業者端末から受信したクーポンＩＤおよびパスワードと、前記クーポンデータベースに登録されたクーポンＩＤおよびパスワードとの照合を行い、その結果を前記販売業者端末に送信し、前記照合の結果一致した場合は、前記電子クーポンサーバが前記販売業者端末から送られたクーポンＩＤにより前記クーポンデータベースを検索して該当する広告識別情報を取得し、この広告識別情報に対応した前記電子広告の広告主である前記販売業者に対し、予め定められた購入一回あたりの広告料金を課金登録することを特徴とする電子広告における広告料金課金方法。
【請求項５】
購入者端末と、情報とともに電子広告を提供する情報提供サーバと、電子クーポンサーバと、販売業者端末と、これらを相互に接続する通信ネットワークとを備えた広告料金課金システムにおける広告料金課金方法であって、前記購入者端末は、前記情報提供サーバにアクセスし、購入者により選択された電子広告の選択情報を前記情報提供サーバに送信する手順と、前記情報提供サーバから前記電子クーポンサーバへの接続情報および広告識別情報を受信し、前記電子クーポンサーバにアクセスして前記広告識別情報を送信する手順とを有し、前記情報提供サーバは、前記購入者端末から受信した電子広告の選択情報により広告データベースを検索し、広告識別情報および前記電子クーポンサーバへの接続情報を取得して前記購入者端末に送信する手順と、各電子広告対応に広告識別情報および前記電子クーポンサーバへの接続情報が予め登録されている広告データベースとを有し、前記電子クーポンサーバは、前記購入者端末から前記広告識別情報を受信して前記購入者端末にパスワードの入力を要求し、前記購入者端末からパスワードを受信してクーポンＩＤを生成し、前記クーポンＩＤ、前記パスワードおよび前記広告識別情報をクーポンデータベースに登録するとともに、前記クーポンＩＤを前記購入者端末に送信する手順と、購入者が販売業者から購入するときに前記販売業者端末から送信されるクーポンＩＤとパスワードとを受信し、前記クーポンデータベースに格納されたクーポンＩＤおよびパスワードと照合し、その照合結果を前記販売業者端末に送信する手順と、前記販売業者端末から送信されたクーポンＩＤにより前記クーポンデータベースを検索して該当する広告識別情報を取得し、この広告識別情報に対応して課金データベースに登録された前記電子広告の広告主である前記販売業者に対し、予め定められた購入一回あたりの広告料金を登録する手順と、前記クーポンＩＤ生成・登録手段から登録されるクーポンＩＤ、パスワードおよび広告識別情報をそれぞれ対応付けて格納しているクーポンデータベースと、販売業者名、販売業者の広告料金課金情報、クーポンＩＤを含む情報を広告識別情報に対応付けて格納している課金データベースとを有し、前記販売業者端末は、前記電子クーポンサーバにアクセスし、クーポンＩＤおよびパスワードを入力し送信する手順と、前記電子クーポンサーバから受信した照合結果を表示する手順とを有することを特徴とする広告料金課金方法。
【請求項６】
購入者端末と、情報とともに電子広告を提供する情報提供サーバと、電子クーポンサーバと、販売業者端末と、これらを相互に接続する通信ネットワークとを備えた広告料金課金システムにおける電子クーポンサーバで実行される広告料金課金プログラムであって、前記購入者端末が前記情報提供サーバから取得した電子広告の広告識別情報を前記購入者端末から受信して、パスワードの入力を前記購入者端末に要求し、前記購入者端末からパスワードを受信してクーポンＩＤを生成し、前記クーポンＩＤ、前記パスワードおよび前記広告識別情報をそれぞれ対応付けてクーポンデータベースに登録するとともに、前記クーポンＩＤを前記購入者端末に送信する手順と、購入者が販売業者から購入するときに前記販売業者端末から送信されるクーポンＩＤとパスワードとを受信し、前記クーポンデータベースに格納されたクーポンＩＤおよびパスワードと照合し、その照合結果を前記販売業者端末に送信する手順と、前記販売業者端末から送信されたクーポンＩＤにより前記クーポンデータベースを検索して該当する広告識別情報を取得し、広告識別情報、販売業者名、販売業者の課金情報、情報提供業者名、情報提供業者の広告収益情報、クーポンＩＤ、購入日時を含む情報を前記広告識別情報に対応付けて格納している課金データベースを参照して前記広告識別情報に対応づけられた前記電子広告の広告主である販売業者に対し、予め定められた購入一回あたりの広告料金を登録する手順とをコンピュータに実行させる広告料金課金プログラム。
【発明の詳細な説明】
【０００１】
【発明の属する技術分野】
本発明は、電子広告における広告料金課金システム，電子クーポンサーバ，広告料金課金方法および広告料金課金プログラムに関し、特にインターネット等を介した電子広告の閲覧による購入実績に応じて広告料金を課金する、電子広告における広告料金課金システム，電子クーポンサーバ，広告料金課金方法および広告料金課金プログラムに関する。
【０００２】
【従来の技術】
近年、インターネット等の普及に伴い、ユーザーがインターネット上の各種ホームページにアクセスして情報を閲覧する機会が増えてきている。そして、これらホームページにアクセスしたユーザーを対象にした、ホームページ上への広告の掲載も広く行われるようになっている。この電子広告には、クリックすることにより内容が閲覧できるものや、検索情報の閲覧時等に広告内容が一緒に表示されるもの等、各種あり、広告料金についても、掲載期間別に定められた料金や掲載広告の閲覧回数に応じた料金等を広告主に課金している。例えば、実用新案登録第３０７１６５５号公報の告知広告生成制御装置においては、インターネットを介した電子掲示板やチャット利用者が表示画面上で広告対象をクリックすることにより、広告主のホームページに接続するとともに、広告対象がクリックされた回数をカウントして広告主への課金を管理することが記載されている。
【０００３】
【発明が解決しようとする課題】
広告料金は、その効果に応じた料金を徴収することが望ましいが、上述した従来の技術においては、掲載期間別に定められた料金や掲載広告の閲覧回数に応じた料金により課金している。このため広告主としては、広告料金を支払って電子広告を掲載しても、それがユーザーの実際の購入行為に結びついたかどうかを知る手段が無く、広告効果の有無が確認できないまま広告料金だけを徴収されていることになる。また、その広告料金も、広告閲覧をしたユーザーが実際に購入を行った購入実績とは無関係に取り決められたものであり、広告料金の妥当性を明確にすることは不可能であった。
【０００４】
本発明は、以上の点を改善し、電子広告の閲覧による購入実績と広告料金の課金とを関連付けた、電子広告における広告料金課金システム，電子クーポンサーバ，広告料金課金方法および広告料金課金プログラムを提供することを目的とする。
【０００６】
【課題を解決するための手段】
本発明の第１の電子広告における広告料金課金システムは、情報とともに電子広告を提供する購入者端末と、情報提供サーバと、電子クーポンサーバと、販売業者端末と、これらを相互に接続する通信ネットワークとを備えた電子広告における広告料金課金システムであって、前記購入者端末が前記通信ネットワークを介して前記情報提供サーバが提供するホームページにアクセスし、購入者により選択されたホームページ上の電子広告の選択情報を前記情報提供サーバに送信する手段と、前記情報提供サーバが前記選択情報により前記電子広告の広告識別情報および前記電子クーポンサーバへの接続情報を検索して前記購入者端末に送信する手段と、前記購入者端末が受信した情報により前記電子クーポンサーバにアクセスしパスワードの登録を行う手段と、前記パスワードを受信した前記電子クーポンサーバがクーポンＩＤを生成し、前記クーポンＩＤと前記パスワードおよび前記広告識別情報をクーポンデータベースに登録するとともに、前記クーポンＩＤを前記購入者端末に送信する手段と、購入者が前記クーポンＩＤを提示して販売業者から購入するときに、前記販売業者端末がクーポンＩＤとパスワードを前記電子クーポンサーバに送信する手段と、前記電子クーポンサーバが前記販売業者端末から受信したクーポンＩＤおよびパスワードと、前記クーポンデータベースに登録されたクーポンＩＤおよびパスワードとの照合を行い、その結果を前記販売業者端末に送信する手段と、前記照合の結果一致した場合は、前記電子クーポンサーバが前記販売業者端末から送られたクーポンＩＤにより前記クーポンデータベースを検索して該当する広告識別情報を取得し、この広告識別情報に対応した前記電子広告の広告主である前記販売業者に対し、予め定められた購入一回あたりの広告料金を課金登録する手段とを有する。
【０００７】
本発明の第２の電子広告における広告料金課金システムは、購入者端末と、情報とともに電子広告を提供する情報提供サーバと、電子クーポンサーバと、販売業者端末と、これらを相互に接続する通信ネットワークとを備えた電子広告における広告料金課金システムであって、前記購入者端末は、前記情報提供サーバにアクセスし、購入者により選択された電子広告の選択情報を前記情報提供サーバに送信するホームページアクセス・入力手段と、前記情報提供サーバから前記電子クーポンサーバへの接続情報および広告識別情報を受信し、前記電子クーポンサーバにアクセスして前記広告識別情報を送信する電子クーポン要求手段とを有し、前記情報提供サーバは、前記購入者端末から受信した電子広告の選択情報により広告データベースを検索し、広告識別情報および前記電子クーポンサーバへの接続情報を取得して前記購入者端末に送信する広告情報検索手段と、各電子広告対応に広告識別情報および前記電子クーポンサーバへの接続情報が予め登録されている広告データベースとを有し、前記電子クーポンサーバは、前記購入者端末から前記広告識別情報を受信して前記購入者端末にパスワードの入力を要求し、前記購入者端末からパスワードを受信してクーポンＩＤを生成し、前記クーポンＩＤ、前記パスワードおよび前記広告識別情報をクーポンデータベースに登録するとともに、前記クーポンＩＤを前記購入者端末に送信するクーポンＩＤ生成・登録手段と、購入者が販売業者から購入するときに前記販売業者端末から送信されるクーポンＩＤとパスワードとを受信し、前記クーポンデータベースに格納されたクーポンＩＤおよびパスワードと照合し、その照合結果を前記販売業者端末に送信する広告閲覧者認証手段と、前記販売業者端末から送信されたクーポンＩＤにより前記クーポンデータベースを検索して該当する広告識別情報を取得し、この広告識別情報に対応して課金データベースに登録された前記電子広告の広告主である前記販売業者に対し、予め定められた購入一回あたりの広告料金を登録する広告料金課金手段と、前記クーポンＩＤ生成・登録手段から登録されるクーポンＩＤ、パスワードおよび広告識別情報をそれぞれ対応付けて格納しているクーポンデータベースと、販売業者名、販売業者の広告料金課金情報、クーポンＩＤを含む情報を広告識別情報に対応付けて格納している課金データベースとを有し、前記販売業者端末は、前記電子クーポンサーバにアクセスし、クーポンＩＤおよびパスワードを入力，送信するホームページアクセス・入力手段と、前記電子クーポンサーバから受信した照合結果を表示する表示手段とを有する。
【０００８】
本発明の電子クーポンサーバは、購入者端末と、情報とともに電子広告を提供する情報提供サーバと、電子クーポンサーバと、販売業者端末と、これらを相互に接続する通信ネットワークとを備えた広告料金課金システムにおける電子クーポンサーバであって、前記購入者端末が前記情報提供サーバから取得した電子広告の広告識別情報を前記購入者端末から受信して、パスワードの入力を前記購入者端末に要求し、前記購入者端末からパスワードを受信してクーポンＩＤを生成し、前記クーポンＩＤ、前記パスワードおよび前記広告識別情報をクーポンデータベースに登録するとともに、前記クーポンＩＤを前記購入者端末に送信するクーポンＩＤ生成・登録手段と、購入者が販売業者から購入するときに前記販売業者端末から送信されるクーポンＩＤとパスワードとを受信し、前記クーポンデータベースに格納されたクーポンＩＤおよびパスワードと照合し、その照合結果を前記販売業者端末に送信する広告閲覧者認証手段と、前記販売業者端末から送られたクーポンＩＤにより前記クーポンデータベースを検索して該当する広告識別情報を取得し、この広告識別情報に対応して課金データベースに登録された前記電子広告の広告主である前記販売業者に対し、予め定められた購入一回あたりの広告料金を登録する広告料金課金手段と、前記クーポンＩＤ生成・登録手段から登録されるクーポンＩＤ、パスワードおよび広告識別情報をそれぞれ対応付けて格納しているクーポンデータベースと、広告識別情報、販売業者名、販売業者の課金情報、情報提供業者名、情報提供業者の広告収益情報、クーポンＩＤ、購入日時を含む情報を前記広告識別情報に対応付けて格納している課金データベースとを有する。
【００１０】
本発明の第１の広告料金課金方法は、購入者端末と、情報とともに電子広告を提供する情報提供サーバと、電子クーポンサーバと、販売業者端末と、これらを相互に接続する通信ネットワークとを備えた広告料金課金システムにおける広告料金課金方法であって、前記購入者端末が、前記通信ネットワークを介して前記情報提供サーバが提供するホームページにアクセスし、購入者により選択されたホームページ上の電子広告の選択情報を前記情報提供サーバに送信し、前記情報提供サーバが前記選択情報により前記電子広告の広告識別情報および前記電子クーポンサーバへの接続情報を検索して前記購入者端末に送信し、前記購入者端末が受信した情報により前記電子クーポンサーバにアクセスしパスワードの登録を行い、前記パスワードを受信した前記電子クーポンサーバが、クーポンＩＤを生成し、前記クーポンＩＤと前記パスワードおよび前記広告識別情報をクーポンデータベースに登録するとともに、前記クーポンＩＤを前記購入者端末に送信し、購入者が前記クーポンＩＤを提示して販売業者から購入するときに、前記販売業者端末がクーポンＩＤとパスワードを前記電子クーポンサーバに送信し、前記電子クーポンサーバが、前記販売業者端末から受信したクーポンＩＤおよびパスワードと、前記クーポンデータベースに登録されたクーポンＩＤおよびパスワードとの照合を行い、その結果を前記販売業者端末に送信し、前記照合の結果一致した場合は、前記電子クーポンサーバが前記販売業者端末から送られたクーポンＩＤにより前記クーポンデータベースを検索して該当する広告識別情報を取得し、この広告識別情報に対応した前記電子広告の広告主である前記販売業者に対し、予め定められた購入一回あたりの広告料金を課金登録することを特徴とする。
【００１１】
本発明の第２の広告料金課金方法は、購入者端末と、情報とともに電子広告を提供する情報提供サーバと、電子クーポンサーバと、販売業者端末と、これらを相互に接続する通信ネットワークとを備えた広告料金課金システムにおける広告料金課金方法であって、前記購入者端末は、前記情報提供サーバにアクセスし、購入者により選択された電子広告の選択情報を前記情報提供サーバに送信する手順と、前記情報提供サーバから前記電子クーポンサーバへの接続情報および広告識別情報を受信し、前記電子クーポンサーバにアクセスして前記広告識別情報を送信する手順とを有し、前記情報提供サーバは、前記購入者端末から受信した電子広告の選択情報により広告データベースを検索し、広告識別情報および前記電子クーポンサーバへの接続情報を取得して前記購入者端末に送信する手順と、各電子広告対応に広告識別情報および前記電子クーポンサーバへの接続情報が予め登録されている広告データベースとを有し、前記電子クーポンサーバは、前記購入者端末から前記広告識別情報を受信して前記購入者端末にパスワードの入力を要求し、前記購入者端末からパスワードを受信してクーポンＩＤを生成し、前記クーポンＩＤ、前記パスワードおよび前記広告識別情報をクーポンデータベースに登録するとともに、前記クーポンＩＤを前記購入者端末に送信する手順と、購入者が販売業者から購入するときに前記販売業者端末から送信されるクーポンＩＤとパスワードとを受信し、前記クーポンデータベースに格納されたクーポンＩＤおよびパスワードと照合し、その照合結果を前記販売業者端末に送信する手順と、前記販売業者端末から送信されたクーポンＩＤにより前記クーポンデータベースを検索して該当する広告識別情報を取得し、この広告識別情報に対応して課金データベースに登録された前記電子広告の広告主である前記販売業者に対し、予め定められた購入一回あたりの広告料金を登録する手順と、前記クーポンＩＤ生成・登録手段から登録されるクーポンＩＤ、パスワードおよび広告識別情報をそれぞれ対応付けて格納しているクーポンデータベースと、販売業者名、販売業者の広告料金課金情報、クーポンＩＤを含む情報を広告識別情報に対応付けて格納している課金データベースとを有し、前記販売業者端末は、前記電子クーポンサーバにアクセスし、クーポンＩＤおよびパスワードを入力し送信する手順と、前記電子クーポンサーバから受信した照合結果を表示する手順とを有する。
【００１２】
本発明の広告料金課金プログラムは、購入者端末と、情報とともに電子広告を提供する情報提供サーバと、電子クーポンサーバと、販売業者端末と、これらを相互に接続する通信ネットワークとを備えた広告料金課金システムにおける電子クーポンサーバで実行される広告料金課金プログラムであって、前記購入者端末が前記情報提供サーバから取得した電子広告の広告識別情報を前記購入者端末から受信して、パスワードの入力を前記購入者端末に要求し、前記購入者端末からパスワードを受信してクーポンＩＤを生成し、前記クーポンＩＤ、前記パスワードおよび前記広告識別情報をそれぞれ対応付けてクーポンデータベースに登録するとともに、前記クーポンＩＤを前記購入者端末に送信する手順と、購入者が販売業者から購入するときに前記販売業者端末から送信されるクーポンＩＤとパスワードとを受信し、前記クーポンデータベースに格納されたクーポンＩＤおよびパスワードと照合し、その照合結果を前記販売業者端末に送信する手順と、前記販売業者端末から送信されたクーポンＩＤにより前記クーポンデータベースを検索して該当する広告識別情報を取得し、広告識別情報、販売業者名、販売業者の課金情報、情報提供業者名、情報提供業者の広告収益情報、クーポンＩＤ、購入日時を含む情報を前記広告識別情報に対応付けて格納している課金データベースを参照して前記広告識別情報に対応づけられた前記電子広告の広告主である販売業者に対し、予め定められた購入一回あたりの広告料金を登録する手順とをコンピュータに実行させる。
【００１３】
【発明の実施の形態】
本発明の実施の形態について図面を参照して説明する。
【００１４】
最初に、本発明の一実施の形態の概要について説明する。本発明は、インターネット等の通信ネットワークにより提供される電子広告を利用し、広告を閲覧することにより購入者が電子クーポンを取得し、購入者が電子クーポンを提示して販売業者から購入する毎に、広告主である販売業者に対し予め定められた購入一回あたりの広告料金を課金するものである。
【００１５】
この概要について図１を参照して説明する。図１は、本発明の一実施の形態の概略システム構成を示す図である。
【００１６】
図１において、購入者は、購入者端末１０から、通信ネットワーク１００を介して情報提供サーバ２０が提供するホームページにアクセスし、ホームページ上で販売業者の電子広告を閲覧して広告識別情報、電子クーポンサーバ接続情報を受信し、得られた情報により電子クーポンサーバ３０へ接続し、パスワードの登録を行ってクーポンＩＤを取得する。電子クーポンサーバ３０は、クーポンＩＤとパスワードをクーポンデータベースに記録する。購入者による商品やサービスの購入時に、販売業者は、販売業者端末４０により購入者から通知されたクーポンＩＤとパスワードを、電子クーポンサーバ３０に送る。電子クーポンサーバ３０は、販売業者端末４０から受信したクーポンＩＤとパスワードと、クーポンデータベースに登録されたクーポンＩＤ、パスワードの比較を行い、その結果を販売業者端末４０に表示するとともに、一致した場合は、課金データベースの販売業者（広告主）に対する課金情報に予め定められた購入一回あたりの広告料金を課金する。
【００１７】
次に、本発明の一実施の形態の詳細について図面を参照して説明する。
【００１８】
図２は、本発明の一実施の形態のシステム構成を示す図であり、購入者端末１０と、情報提供サーバ２０と、電子クーポンサーバ３０と、販売業者端末４０と、これらを相互に接続するインターネット等の通信ネットワーク１００とを備えている。
【００１９】
購入者端末１０は、パーソナルコンピュータ等の情報処理装置であり、本発明を利用する一般ユーザーにより使用される。購入者端末１０は、通信ネットワーク１００上に提供されているホームページにアクセスし、要求される情報を入力，送信するホームページアクセス・入力手段１１と、情報提供サーバ２０や電子クーポンサーバ３０から送られる情報を表示する表示手段１２と、情報提供サーバ２０から送られる広告識別情報および電子クーポンサーバ接続情報を受信，保持し、電子クーポンサーバ接続情報を利用して電子クーポンサーバ３０にアクセスし、広告識別情報を送信する電子クーポン要求手段１３とを備えている。なお、電子広告とは、販売業者が購入者に商品やサービスを宣伝するための情報であり、文字や図の情報を含む。広告識別情報とは、電子クーポンサーバ３０が情報提供サーバ２０および電子広告を一意に識別する例えば識別番号等の情報である。電子クーポンサーバ接続情報とは、通信ネットワーク１００を介して購入者端末１０が電子クーポンサーバ３０にアクセスするための、インターネットにおけるＵＲＬ等の情報である。
【００２０】
情報提供サーバ２０は、情報提供業者により備えられるサーバ等の情報処理装置であり、通信ネットワーク１００上に電子広告を含む情報提供のホームページを開設している。情報提供サーバ２０は、購入者端末１０からのホームページアクセス時に電子広告がクリックされた場合、広告データベース２２を検索し、購入者端末１０に対して検索結果として広告識別情報および電子クーポンサーバ接続情報を送信する広告情報検索手段２１と、各電子広告対応に広告識別情報、電子クーポンサーバ接続情報や販売業者（広告主）等が予め登録されている広告データベース２２とを備えている。
【００２１】
電子クーポンサーバ３０は、情報提供サーバ２０を運営する情報提供業者と提携した業者により備えられるサーバ等の情報処理装置であり、一台または複数台の情報提供サーバ２０に対して共通に一台備えられる。電子クーポンサーバ３０は、クーポンＩＤ生成・登録手段３１と、広告閲覧者認証手段３２と、広告料金課金手段３３と、クーポンデータベース３４と、課金データベース３５とを備えている。なお、電子クーポンサーバ３０は、図示していない記憶手段に記憶された広告料金課金プログラムにより制御され、広告料金課金プログラムは電子クーポンサーバ３０の上記の各手段の動作を制御する。
【００２２】
クーポンＩＤ生成・登録手段３１は、購入者端末１０から送信された広告識別情報を受信して保持するとともに、パスワードを要求する画面を購入者端末１０に送り、購入者端末１０から送られたパスワードを受信してクーポンＩＤを生成し、クーポンＩＤ、パスワード、広告識別情報をクーポンデータベース３４に登録するとともに、クーポンＩＤを購入者端末１０に送信する。なお、クーポンＩＤとは、購入者の広告閲覧行為の確証として生成される情報であり、購入者端末１０との接続毎に一意となるクーポンＩＤを生成する。このクーポンＩＤは識別番号のような情報であってもよいし、他の情報であってもよい。
【００２３】
広告閲覧者認証手段３２は、販売業者端末４０から送られたクーポンＩＤとパスワードとを受信し、クーポンデータベース３４に格納されたクーポンＩＤおよびパスワードと比較，照合し、その結果を販売業者端末４０に送信する。
【００２４】
広告料金課金手段３３は、販売業者端末４０から送られたクーポンＩＤを基にクーポンデータベース３４を検索して該当する広告識別情報を取得し、課金データベース３５に格納された広告識別情報で識別される販売業者（広告主）の課金情報に広告料金を、情報提供サーバ２０を運営し電子広告を掲載した情報提供業者の広告収益情報に広告料金を登録する。
【００２５】
クーポンデータベース３４は、クーポンＩＤ生成・登録手段３１から登録された、クーポンＩＤ、パスワード、広告識別情報をそれぞれ対応付けて格納している。
【００２６】
課金データベース３５には、広告識別情報、販売業者名、販売業者の課金情報、情報提供業者名、情報提供業者の広告収益情報、クーポンＩＤ、購入日時等を含む情報が広告識別情報に対応付けられて格納されている。なお、広告識別情報については、提携している情報提供サーバ２０に電子広告が掲載される都度その広告識別情報を別途入手し、販売業者名、情報提供業者名とともに予め登録しておき、その他の販売業者の課金情報、情報提供業者の広告収益情報、クーポンＩＤ、購入日時等の情報については、電子広告閲覧者による購入があった都度登録される。
【００２７】
販売業者端末４０は、情報提供サーバ２０のホームページに広告を出した広告主である販売業者が備えるパーソナルコンピュータ等の情報処理装置である。販売業者端末４０は、電子クーポンサーバ３０にアクセスし、クーポンＩＤ、パスワードを入力，送信するホームページアクセス・入力手段４１と、電子クーポンサーバ３０から受信した認証結果を表示する表示手段４２とを備えている。
【００２８】
次に、本発明の一実施の形態の動作について図２〜図５を参照して詳細に説明する。図３は本発明の一実施の形態の動作を示すフローチャートであり、図４は電子広告を含む情報の表示例を示す図、図５はパスワード要求画面の一例を示す図である。なお、以降の説明では、通信ネットワーク１００はインターネットであるとして説明する。
【００２９】
図３を参照すると、まず購入者は、購入者端末１０のホームページアクセス・入力手段１１により、情報提供サーバ２０がインターネット上に開設している情報提供のホームページにアクセスし、必要とする情報を要求する（ステップＡ１）。これに応答して、情報提供サーバ２０は、要求された情報を購入者端末１０に送信する（ステップＡ２）。購入者端末１０には、例えば図４に示すような情報が表示手段１２により表示される。図４において、提供情報とは購入者が要求した情報（例えば、ニュース等）であり、その上部に電子広告が一緒に表示されている（ステップＡ３）。
【００３０】
購入者は、提供情報を読んだ後、興味が有れば図４の電子広告を例えばマウスでクリックして選択する。図４の電子広告が選択されたという選択情報は、購入者端末１０から情報提供サーバ２０に送信される。情報提供サーバ２０の広告情報検索手段２１は、広告データベース２２を参照して選択された電子広告の電子クーポンサーバ接続情報および広告識別情報を取得し、購入者端末１０に送信する。購入者端末１０の電子クーポン要求手段１３は、受信した電子クーポンサーバ接続情報（例えば、電子クーポンサーバ３０にアクセスするためのインターネットにおけるＵＲＬ等の情報）により、電子クーポンサーバ３０にアクセスし、広告識別情報を送信する（ステップＡ４）。
【００３１】
電子クーポンサーバ３０のクーポンＩＤ生成・登録手段３１は、受信した広告識別情報を保持し、パスワード要求画面を購入者端末１０に送信する（ステップＡ５）。購入者端末１０の表示手段１２は、図５に示すようなパスワード要求画面を表示する（ステップＡ６）。購入者が図５のパスワード欄に任意の文字列を入力し、送信ボタンをクリックすることにより、購入者端末１０は入力されたパスワードを電子クーポンサーバ３０に送信する（ステップＡ７）。
【００３２】
電子クーポンサーバ３０は、パスワードを受信することにより購入者端末１０との接続毎に一意となるクーポンＩＤを生成し、事前に保持していた広告識別情報と受信したパスワードとをクーポンＩＤとともにクーポンデータベース３４に登録する（ステップＡ８）。さらに、生成されたクーポンＩＤを購入者端末１０に送信する（ステップＡ９）。購入者端末１０には受信したクーポンＩＤが表示され、購入者はこのクーポンＩＤを図示しない記憶手段に記憶させたり、図示しない印刷手段にプリントアウトさせたり、または筆記する等して販売店での購入に備える（ステップＡ１０）。
【００３３】
以上のステップにおいてはクーポンＩＤの取得までを説明したが、ここからは、クーポンＩＤ提示による購入および広告料金の課金について説明する。
【００３４】
購入者は、電子広告に掲載されていた商品またはサービスを販売業者から購入する際に、電子クーポンサーバ３０から受信したクーポンＩＤおよびパスワードを販売業者に示す。販売業者は、販売業者端末４０のホームページアクセス・入力手段４１により電子クーポンサーバ３０にアクセスし、購入者から示されたクーポンＩＤとパスワードとを入力，送信する（ステップＡ１１）。
【００３５】
電子クーポンサーバ３０の広告閲覧者認証手段３２は、クーポンデータベース３４を受信したクーポンＩＤで検索し、該当するクーポンＩＤが存在し、クーポンデータベース３４に登録されたパスワードと、販売業者端末４０から受信したパスワードが一致するか比較する（ステップＡ１２）。
【００３６】
広告閲覧者認証手段３２は、ステップＡ１２におけるクーポンＩＤの照合結果を販売業者に通知するため、販売業者端末４０に照合結果を送信する（ステップＡ１３）。販売業者端末４０の表示手段４２は受信したクーポンＩＤの参照結果を表示し、販売業者はそれにより購入者から示されたクーポンＩＤおよびパスワードの有効性を判断する（ステップＡ１４）。
【００３７】
ステップＡ１２において、広告閲覧者認証手段３２によりクーポンＩＤの存在とパスワードの一致とが確認できた場合は、処理を広告料金課金手段３３に渡し、広告料金課金手段３３は、クーポンＩＤでクーポンデータベース３４を検索し、クーポンＩＤに対応して登録されている広告識別情報を取得する。その後、広告料金課金手段３３は、取得した広告識別情報で課金データベース３５を検索し、広告識別情報に対応する販売業者（広告主）の課金情報に購入１回あたりの予め定められた広告料金を、情報提供サーバ２０を運営する情報提供業者（広告掲載業者）の収益情報に購入１回あたりの予め定められた広告料金を加算し、課金データベース３５に格納する。このとき、販売業者（広告主）の課金情報の広告料金と情報提供業者（広告掲載業者）の収益情報の広告料金とに差をつけて、その差の料金を電子クーポンサーバ３０の運営業者の手数料としてもよいし、両広告料金を同じにし、販売業者（広告主）の課金情報に広告料金の他に手数料を登録するようにしてもよいし、その他いろいろな応用例が考えられる。この部分や、課金後の費用請求等については本発明の主旨ではないため、これ以上の説明は省略する（ステップＡ１５）。
【００３８】
ステップＡ１３における格納が完了した後、広告料金課金手段３３はクーポンデータベース３４から、該当するクーポンＩＤとそれに対応して登録されていたパスワード、広告識別情報を削除する（ステップＡ１６）。
【００３９】
なお、以上の説明のステップＡ１１において、販売業者端末４０から電子クーポンサーバ３０にクーポンＩＤとパスワードとを入力，送信するときに、併せて販売業者名を入力，送信するようにし、ステップＡ１２において、電子クーポンサーバ３０の広告閲覧者認証手段３２がクーポンデータベース３４を参照してクーポンＩＤ、パスワードの一致を照合するとともに、対応する広告識別情報を取得し、この広告識別情報で課金データベース３５を検索し、対応する販売業者名を取得して販売業者端末４０から受信した販売業者名と照合し、ステップＡ１３において、以上の照合結果を販売業者端末４０に送信するようにしてもよい。この照合結果の送信においては、クーポンＩＤ、パスワードおよび販売業者名の全てが一致したかどうか、一致しなかった場合は何が一致しなかったかを、通知する。また、広告閲覧者認証手段３２は、クーポンＩＤ、パスワードおよび販売業者名の全てが一致した場合のみ処理を広告料金課金手段３３に渡し、ステップＡ１５の広告料金の課金を行うものとし、クーポンＩＤ、パスワードまたは販売業者名のいずれかが一致しなかった場合は、課金処理を行わず処理を終了する。これにより、販売業者は、購入者から示されたクーポンＩＤが自分が広告主の電子広告に対応したものであるのか、それとも他業者のものかの確認ができ、より正確な広告料金の課金が可能となる。
【００４０】
【発明の効果】
本発明は、電子広告閲覧時に取得したクーポンＩＤにより購入する度に、該当広告の一回あたりの広告料金を課金するようにしたため、電子広告の閲覧による購入実績と広告料金の課金とが関連付けられ、広告主である販売業者にとっては広告効果に応じた広告料金の課金が受けられるという効果がある。
【図面の簡単な説明】
【図１】本発明の一実施の形態の概略システム構成を示す図である。
【図２】本発明の一実施の形態のシステム構成を示す図である。
【図３】本発明の一実施の形態の動作を示すフローチャートである。
【図４】電子広告を含む情報の表示例を示す図である。
【図５】パスワード要求画面の一例を示す図である。
【符号の説明】
１０    購入者端末
１１    ホームページアクセス・入力手段
１２    表示手段
１３    電子クーポン要求手段
２０    情報提供サーバ
２１    広告情報検索手段
２２    広告データベース
３０    電子クーポンサーバ
３１    クーポンＩＤ生成・登録手段
３２    広告閲覧者認証手段
３３    広告料金課金手段
３４    クーポンデータベース
３５    課金データベース
４０    販売業者端末
４１    ホームページアクセス・入力手段
４２    表示手段
１００    通信ネットワーク
【図１】
0003716184.tif 000002
【図２】
0003716184.tif 000003
【図３】
0003716184.tif 000004
【図４】
0003716184.tif 000005
【図５】
0003716184.tif 000006